(57)【要約】【解決手段】  培養物がいつでも誰でも簡単に且つ頻繁な出し入れ操作を防止し、培養物の紛失等の事故を未然に防ぎ、人為操作のミスによる培養事故の懸念を解消する施錠装置を設けたインキュベータを提供すること。【構成】  前面に開口を有する断熱箱本体２と、前記開口を開閉自在に閉塞する断熱扉３と、当該断熱扉を前記断熱箱本体に対して開閉自在に固定する上下一対のヒンジ８，８と、当該ヒンジを固定するために前記断熱箱本体及び断熱扉に設けられた上下左右二対の固定穴１０Ａ，１０Ｂとを備えたインキュベータ１であって、ヒンジ８が取り付けられない左右どちらか一方に位置する固定穴１０Ａ，１０Ｂに施錠手段１１を備えたもの。【選択図】      図１
2005083153.tif 000002
【特許請求の範囲】
【請求項１】
前面に開口を有する断熱箱本体と、前記開口を開閉自在に閉塞する断熱扉と、当該断熱扉を前記断熱箱本体に対して開閉自在に固定する上下一対のヒンジと、当該ヒンジを固定するために前記断熱箱本体及び断熱扉に設けられた上下左右二対の固定穴とを備えた、インキュベータにおいて、前記ヒンジが取り付けられない左右どちらか一方に位置する固定穴に施錠手段を設けたことを特徴とするインキュベータの施錠装置。
【請求項２】
前記施錠手段は、前記本体の側面に位置する固定穴に取り付けられ錠腕を挿入する孔を有する本体側固定具と、前記扉の側面に位置する固定穴に取り付けられ錠腕を挿入する孔を有する扉側固定具と、前記本体側と扉側の両固定具のビスを覆うカバーと、前記本体側と扉側の両固定具の孔に挿入される錠腕付きの錠前とを備えたことを特徴とする請求項１に記載のインキュベータの施錠装置。
【請求項３】
前記本体側固定具と、前記扉側固定具とを共通化したことを特徴とする請求項２に記載のインキュベータの施錠装置。
【請求項４】
前記本体側及び扉側の両固定具は、前記カバーを係合する係合部を備えたことを特徴とする請求項３に記載のインキュベータの施錠装置。
【請求項５】
前記本体側及び扉側の両固定具は、前記孔を有する突出片を備えたことを特徴とする請求項２に記載のインキュベータの施錠装置。
【請求項６】
前記カバーは、前記係合部に引っ掛けるための引掛部を備えたことを特徴とする請求項４に記載のインキュベータの施錠装置。
【請求項７】
前記カバーは、前記本体側と扉側の両固定具のビス頭の厚さよりも大きい折曲片を備えたことを特徴とする請求項２に記載のインキュベータの施錠装置。
【請求項８】
前記カバーは、前記本体側及び扉側の両固定具の各突出片が貫通する貫通穴を備えたことを特徴とする請求項５に記載のインキュベータの施錠装置。
【請求項９】
前記施錠手段は、前記本体の前面に位置する固定穴に取り付けられ錠腕を挿入する孔を有する本体側固定具と、前記扉の裏面に位置する固定穴に取り付けられ錠腕を挿入する孔を有する扉側固定具と、前記本体側と扉側の両固定具の孔に挿入される錠腕付きの錠前とを備えたことを特徴とする請求項１に記載のインキュベータの施錠装置。
【請求項１０】
前記本体側固定具と、前記扉側固定具とを共通化したことを特徴とする請求項９に記載のインキュベータの施錠装置。
【請求項１１】
前記断熱扉は、固定穴よりも中央寄りに扉と本体をシールする磁石付きのガスケットを備えたことを特徴とする請求項９に記載のインキュベータの施錠装置。
【発明の詳細な説明】
【技術分野】
【０００１】
本発明は、庫内を無菌状態にして細胞や微生物などの培養物を培養する培養装置としての炭酸ガス（ＣＯ2）インキュベータやマルチガスインキュベータに適用される施錠装置に関するものである。
【背景技術】
【０００２】
インキュベータは、内部（培養室内）の温度やＣＯ2濃度を一定に保持し、内部を無菌状態として培養対象としての細胞や微生物などの培養物を培養するものであるため、定期的な滅菌処理が必要となる。また、インキュベータにあっては、顧客の設置場所や使用要望に応じて扉を右開き式にするか、左開き式にするかを選択できるようになっている。大量生産方式の家庭用冷蔵庫等の家庭用貯蔵庫と違い、産業用の貯蔵庫の一形態であるインキュベータは、多機種少量生産のため、右開き用と左開き用に作り分けるよりも、断熱箱本体と断熱扉をどちらにも対応できるように汎用性を考慮して、両用式に設計されている。このため、本体及び扉にはその左右側面或いは前面又は裏面に上下一対のヒンジを取り付けられるように、上下左右二対のビス用の固定穴が形成されている。右開き式であれば、向かって右側にヒンジが取り付けられるため、左側の４つの固定穴は目隠し部材により封止され、左開き式であれば、向かって左側にヒンジが取り付けられるため、右側の固定穴は目隠し部材により封止される。従って、汎用性を考慮して左右どちらでも対応可能にしたため、使用しない側の固定穴が目隠し部材によって封止される。
【０００３】
他方、冷蔵庫等の貯蔵庫の施錠装置としては、特許文献１、２に示されるように、施錠装置における取付金具の固定用のビスを外から外せなくするための工夫が為されていないため、折角施錠を施しても、ビスを外すことにより、扉を開放することが可能になってしまう不具合があった。
【特許文献１】特開２００１−２４８３４４号公報
【特許文献２】特開２０００−１８８０８号公報
【発明の開示】
【発明が解決しようとする課題】
【０００４】
一方、インキュベータの庫内には、培養対象としての大切かつ貴重な細胞や微生物などが入れられて培養されるものの、施錠装置がついていないため、培養物がいつでも誰でも簡単に出し入れすることができ、また頻繁な出し入れ操作に伴い所望とする培養を行えなくなったり、培養物の紛失等の事故を未然に防げないことがあった。。特に、病院や大学の研究室に設置される場合には、インキュベータを様々な人が使用することに加えいろいろな培養物が出し入れされるため、人為操作のミスによる培養事故の懸念があった。
【０００５】
本発明は、このようなインキュベータにあって、培養物がいつでも誰でも簡単に且つ頻繁な出し入れ操作を防止し、培養物の紛失等の事故を未然に防ぎ、人為操作のミスによる培養事故の懸念を解消する施錠装置を設けたインキュベータを提供することを目的とする。また、これに加えて、本発明は、不使用の固定穴の有効活用を図ることを目的とするものである。
【課題を解決するための手段】
【０００６】
請求項１の発明のインキュベータの施錠装置は、前面に開口（２Ａ）を有する断熱箱本体（２）と、前記開口（２Ａ）を開閉自在に閉塞する断熱扉（３）と、当該断熱扉（３）を前記断熱箱本体（２）に対して開閉自在に固定する上下一対のヒンジ（８）と、当該ヒンジ（８）を固定するために前記断熱箱本体（２）及び断熱扉（３）に設けられた上下左右二対の固定穴（１０Ａ，１０Ｂ）とを備えたインキュベータ（１）において、前記ヒンジ（８）が取り付けられない左右どちらか一方に位置する固定穴に施錠手段（１１）を設けたものである。
【０００７】
請求項２の発明のインキュベータの施錠装置は、施錠手段（１１）が、本体（２）の側面に位置する固定穴（１０Ａ）に取り付けられ錠腕（１５３）を挿入する孔（１２６）を有する本体側固定具（１２）と、前記扉（３）の側面に位置する固定穴（１０Ｂ）に取り付けられ錠腕（１５３）を挿入する孔（１３６）を有する扉側固定具（１３）と、前記本体側と扉側の両固定具（１２，１３）のビス（１６）を覆うカバー（１４）と、前記本体側と扉側の両固定具（１２，１３）の孔（１２６，１３６）に挿入される錠腕付きの錠前（１５）とを備えたものである。
【０００８】
請求項３の発明のインキュベータの施錠装置は、前記本体側固定具（１２）と、前記扉側固定具（１３）とを共通化したものである。
【０００９】
請求項４の発明のインキュベータの施錠装置は、前記本体側及び扉側の両固定具（１２，１３）は、前記カバー（１４）を係合する係合部（１２４，１３４）を備えたものである。
【００１０】
請求項５の発明のインキュベータの施錠装置は、前記本体側及び扉側の両固定具（１２，１３）は、前記孔（１２６，１３６）を有する突出片（１２５，１３５）を備えたものである。
【００１１】
請求項６の発明のインキュベータの施錠装置は、前記カバー（１４）は、前記係合部（１２４，１３４）に引っ掛けるための引掛部（１４３）を備えたものである。
【００１２】
請求項７の発明のインキュベータの施錠装置は、前記カバー（１４）は、前記本体側と扉側の両固定具（１２，１３）のビス（１６，１６，１６，１６）の頭部の厚さよりも大きい折曲片（１４２，１４２，１４２，１４２）を備えたものである。
【００１３】
請求項８の発明のインキュベータの施錠装置は、前記カバー（１４）は、前記本体側及び扉側の両固定具（１２，１３）の各突出片（１２５，１３５）が貫通する貫通穴（１４４）を備えたものである。
【００１４】
請求項９の発明のインキュベータの施錠装置（２１）は、前面に開口（２Ａ）を有する断熱箱本体（２）と、前記開口（２Ａ）を開閉自在に閉塞する断熱扉（３）と、当該断熱扉（３）を前記断熱箱本体（２）に対して開閉自在に固定する上下一対のヒンジ（８８）と、当該ヒンジ（８８）を固定するために前記断熱箱本体（２）及び断熱扉（３）に設けられた上下左右二対の固定穴（１０Ａ，１０Ｂ）とを備えたインキュベータ（１）において、前記ヒンジ（８８）が取り付けられない左右どちらか一方に位置する固定穴に施錠手段（２１）を設け、当該施錠手段（２１）は、前記本体（２）の前面に位置する固定穴に取り付けられ錠腕（２５３）を挿入する孔（２２６）を有する本体側固定具（２２）と、前記扉（３）の裏面に位置する固定穴に取り付けられ錠腕（２５３）を挿入する孔（２３６）を有する扉側固定具（２３）と、前記本体側と扉側の両固定具（２２，２３）の孔（２２６，２３６）に挿入される錠腕付きの錠前（１５）とを備えたものである。
【００１５】
請求項１０の発明のインキュベータの施錠装置（３１）は、本体側固定具（３２）と、扉側固定具（３３）とを共通化したものである。
【００１６】
請求項１１の発明のインキュベータの施錠装置は、前記断熱扉（３）が、固定穴よりも中央寄りに扉（３）と本体（２）をシールする磁石付きのガスケット（９）を備えたものである。
【発明の効果】
【００１７】
以上詳述した如く請求項１の発明によれば、目隠し部材等で封をされていた不使用の扉側及び本体側の固定穴（１０Ａ，１０Ｂ）をそのまま活用して施錠手段（１１）を設けたので、固定穴の有効活用が図れ、インキュベータ（１）としての使用上の安全性をオプション的に向上することができる。
【００１８】
以上詳述した如く請求項２の発明によれば、外ヒンジ式（８）のインキュベータ（１）にあって扉側と本体側の両固定具（１２，１３）を固定するためのすべてのビス（１６，１６，１６，１６）をカバー（１４）で覆うことにより、ビス（１６）を外す操作が防止され、一方の固定具を外して扉を開けることは不可能になり、防犯対策が図れ、しかもこのカバー（１４）にて錠前（１５）による扉側面や本体側面への接触を回避できる。
【００１９】
以上詳述した如く請求項３の発明によれば、扉側と本体側の両固定具（１２，１３）を共通化することで、固定具としての汎用性が増し、コストダウンが図れる。
【００２０】
以上詳述した如く請求項４の発明によれば、カバー（１４）を手で保持することなくカバー（１４）を固定具（１２，１３）の係合部（１２４，１３４）に対して係合させておけるため、錠前（１５）の着脱に当たり両手を使うことができ、施錠手段（１１）としての操作性が向上する。
【００２１】
以上詳述した如く請求項５の発明によれば、突出片（１２５，１３５）の形成にてインキュベータ（１）からの突出部分を極力小さくすることができ、錠前の取り付け作業も容易となる。
【００２２】
以上詳述した如く請求項６の発明によれば、固定具（１２，１３）に設けた係合部（１２４，１３４）とカバー（１４）に設けた引掛部（１４３）の係合関係によりカバー（１４）が落下しないように保持できるため、錠前（１５）を着脱する際に両手が空く。
【００２３】
以上詳述した如く請求項７の発明によれば、折曲片（１４２）の高さがビス（１６，１６，１６，１６）を覆い隠すためのカバー（１４）の覆い代となることに加え、カバー（１４）としての強度がアップし、頑強な施錠手段（１１）が実現できる。
【００２４】
以上詳述した如く請求項８の発明によれば、カバー（１４）の貫通穴（１４４）に固定具（１２，１３）の突出片（１２５，１３５）を挿入することで、カバー（１４）としての位置決めが行える。
【００２５】
以上詳述した如く請求項９の発明によれば、内ヒンジ式（８８）のインキュベータ（１）にあって、内ヒンジ（８８）を取り付けるためのスペースを利用して施錠手段（２１）を取り付けることができ、固定穴の有効活用が図れる。
【００２６】
以上詳述した如く請求項１０の発明（第三実施例）によれば、扉側と本体側の両固定具（３２，３３）を共通化することで、固定具としての汎用性が増し、コストダウンが図れる。
【００２７】
以上詳述した如く請求項１１の発明によれば、ガスケット（９）の厚みに相当するガスケット（９）よりも外側のスペース（Ｋ）には、ビス（２６）を外すための道具を入れることができないため、ビス（２６）を覆うカバーを廃止でき、部品点数を削減できる。  
【発明を実施するための最良の形態】
【００２８】
以下、図面に基づき本発明の実施例を詳述する。図１は本発明の施錠装置を設けたインキュベータの斜視図、図２は施錠装置を設けないインキュベータの斜視図、図３は外ヒンジを設けたインキュベータの斜視図、図４は本発明の外ヒンジ式のインキュベータに対応する施錠手段の第一実施例を示す分解斜視図、図５はカバーの背面斜視図、図６は左開き式のインキュベータの扉を開放した状態の斜視図、図７は内ヒンジ式のインキュベータに対応する施錠手段の第２実施例を示す分解斜視図、図８は内ヒンジ式のインキュベータに対応する施錠手段の第３実施例を示す分解斜視図、図９は第２実施例を適用したインキュベータの一部省略上面図、図１０は図９のインキュベータの右側面図をそれぞれ示している。
【実施例１】
【００２９】
本発明の第一の実施形態におけるインキュベータ１は、図１、図２及び図６に示すように左開き式の扉を備えるものであり、前面に開口２Ａを有する断熱箱本体２と、この開口２Ａを開閉自在に閉塞する断熱扉３とでその内部に培養室４を形成している。この培養室４の内部は、複数の棚５により上下に区画されている。培養室の底面には、加湿用の水を貯溜する加湿皿６が配置され、図示しない加熱手段により加熱されて水を蒸発させる。７は、前面開口２Ａを開閉する透明な内扉である。８は、断熱扉３を断熱箱本体２に対して開閉自在に固定するための上下一対のヒンジ（ここでは、外側から取り付けられるので外ヒンジ）であり、９は断熱扉の裏面に設けられ断熱扉３と断熱箱本体２と密着シールする磁石付きのガスケットである。断熱扉３の前面には、培養室４内の温度や湿度等を表示する表示部及び培養手順等を指示入力する入力部を備えた入出力手段３Ｂが設けられる。
【００３０】
図１及び図２において、１０Ａは、断熱箱本体２の左右側面に設けられた上下左右二対の本体側固定穴であり、１０Ｂは、断熱扉３の左右側面の本体側固定穴１０Ａに対応する位置に設けられた上下左右二対の扉側固定穴である。
【００３１】
図３に示すインキュベータ１は、右開き式の扉３を有するものであり、右側面に位置する１０Ａ及び１０Ｂを使用して上下一対のヒンジ８を設けている。
【００３２】
図１及び図４において、１１は本発明の施錠手段（施錠装置）の第１実施例を示すものであり、施錠手段１１は、断熱箱本体２の右側面上部に位置する本体側固定穴１０Ａに取り付けられ錠腕１５３を挿入する孔１２６を有する本体側固定具１２と、やはり断熱扉３の右側面上部に位置する扉側固定穴１０Ｂに取り付けられ錠腕１５３を挿入する孔１３６を有する扉側固定具１３と、本体側と扉側の両固定具１２，１３を固定するのビス１６と、この４つのビス１６の全て覆うカバー１４と、本体側と扉側の両固定具１２，１３の孔１２６，１３６に挿入される錠腕１５３付きの錠前１５とを備える。
【００３３】
本体側固定具１２は、上下方向に対称形状に形成されており、断熱箱本体２の側面に当接する基部１２１と、この基部１２１から折り曲げられる折曲部１２３と、この折曲部１２３に連なり孔１２６を有する突出片１２５とからなる。基部１２１には、本体側固定穴１０Ａに対応する取付穴１２２，１２２が形成され、折曲部１２３の上下端部には後述するカバー１４の引掛部１４３を引っ掛けて係合するための係合部１２４が形成される。
【００３４】
扉側固定具１３は、上下方向に対称形状に形成されており、断熱扉３の側面に当接する基部１３１と、この基部１３１から折り曲げられる折曲部１３３と、この折曲部１３３に連なり孔１３６を有する突出片１３５とからなる。基部１３１には、扉側固定穴１０Bに対応する取付穴１３２，１３２が形成され、折曲部１３３の上下端部には後述するカバー１４の引掛部１４３を引っ掛けて係合するための係合部１３４が形成されている。尚、この第一実施例において、この扉側固定具１３と、本体側固定具１２とは、同じ形状にしてあるため、上下を入れ替えることにより、どちらの固定具としても活用でき、部品を共通化している。
【００３５】
カバー１４は、略直方体の容器状を為し、４つのビス１６の全てを覆う方形状のカバー部１４１と、このカバー部１４１の四端からそれぞれ一方向（内側）に折り曲げられ、ビス１６の頭の部分（以下、ビス頭という）の厚さよりも折曲げ（奥行き）寸法が大きい４つの折曲片１４２，１４２とで構成される。また、その取付時に上面となる折曲片１４２にはその先端に更に内側に折り曲げて形成した引掛部１４３があり、カバー部１４１の中央部分には、両固定具１２，１３の各突出片１２５，１３５を貫通させてカバー１４の位置決めを行う貫通穴１４４を設けている。
【００３６】
錠前１５は、鍵を差し込む鍵穴（図示せず）および回動自在に支持された錠腕１５３を差し込む挿入穴１５２を有する錠本体１５１と、錠腕１５３とからなる。
【００３７】
当該第一実施例にあって、施錠手段１１は、使用されていない右側上部の固定穴１０Ａ，１０Ｂを活用して、それぞれ本体側と扉側に固定具１２，１３がビス１６により固定されることで、その土台部分が取り付けられる。このままの状態で、断熱扉３を閉塞すれば、両固定具１２，１３の突出片１２５，１３５が一定の間隔を存して近接して対侍するが、ビス１６は露出したままの状態である。そこで、このビス１６を側面から覆い隠すべく、カバー１４をその貫通穴１４４に対して両突出部１２５，１３５が貫通するようにインキュベータ１の側面に押しつける。その際、折曲片１４２に設けた引掛部１４３が両固定具１２，１３の係合部１２４，１３４に係合するようにカバー１４を折曲部１２３，１３３に載せる。この状態で、カバー１４は左右下方向へのガタツキがある程度抑制された状態で支持される。勿論、カバー部１４１によって、すべてのビス１６は覆われているため、このビス１６を取り外すことは回避できる。
【００３８】
次に、錠前１５の錠腕１５３を両固定具１２，１３の両突出片１２５，１３５に設けた孔１２６，１３６に挿入し、錠腕を挿入穴１５２に差し込んで、錠を取り付ける。これで、施錠手段１１による施錠操作が完了する。
【００３９】
即ち、本第一実施例の施錠手段１１によれば、目隠し部材等で封をされていた不使用の扉側及び本体側の固定穴１０Ａ，１０Ｂをそのまま活用して施錠手段を取り付けることができるので、固定穴の有効活用が図れる。外ヒンジ式のインキュベータ１にあって扉側と本体側の両固定具１３，１２を固定するためのすべてのビス１６をカバー１４で覆うことにより、ビス１６を外す操作が防止され、一方の固定具（例えば、扉側１３）を外して断熱扉３を開けることが不可能となり、インキュベータとしての防犯対策が図れ、このカバー１４にて錠前１５による扉側面や本体側面への接触を回避するでき、扉や本体の打痕の発生を防止できる。また、扉側と本体側の両固定具１３，１２を共通化することで、固定具としての汎用性が増し、コストダウンが図れる。さらに、バー１４を手で保持することなくカバー１４を固定具１２，１３に対して係合させておけるため、錠前１５の着脱操作に当たり使用者は両手を使うことが可能となり、施錠手段１１としての操作性が向上する。突出片１２５，１３５の形成にて、インキュベータ１からの突出部分を極力小さくすることができ、錠前１５の取り付け作業も容易となる。固定具１２，１３に設けた係合部１２４，１３４とカバー１４に設けた引掛部１４３の係合関係により、カバー１４を落下しないように保持できるため、錠前１５を着脱する際に使用者の両手が空く。また、折曲片１４２の高さがビス１６を覆い隠すためのカバー１４の覆い代となることに加え、カバー１４としての強度がアップし、頑強な施錠手段１１が実現できることに加え、カバー１４の貫通穴１４４に両固定具１２，１３の突出片１２５，１３５を挿入することで、カバー１４としての簡単な位置決め作業が行える。
【実施例２】
【００４０】
本発明の第二の実施形態を示す施錠手段２１は、図７、図９及び図１０に示すように、内ヒンジタイプを採用した左開き式の扉３を備えるインキュベータ１に採用されるものである。尚、ヒンジ８８が外ヒンジではなく内ヒンジであることに加え、断熱箱本体２と断熱扉３とについて、その固定穴の位置が第一の実施形態のように側面ではなく、断熱箱の前面と扉の裏面に設けられる点が相違するに過ぎないため、固定穴としての図示は省略する。
【００４１】
図７において、２１は本発明の施錠手段（施錠装置）の第２実施例を示すものであり、施錠手段２１は、断熱箱本体２の前面右上部に位置する本体側固定穴（図示せず）に取り付けられ錠腕２５３を挿入する孔２２６を有する本体側固定具２２と、やはり断熱扉３の前面右上部に位置する扉側固定穴に取り付けられ錠腕２５３を挿入する孔２３６を有する扉側固定具２３と、本体側と扉側の両固定具２２，２３を固定するのビス２６と、本体側と扉側の両固定具２２，２３の孔２２６，２３６に挿入される錠腕２５３付きの錠前２５とを備える。
【００４２】
本体側固定具２２は、断熱箱本体２の前面に当接する基部２２１と、この基部１２１の左側に設けた上下一対の取付穴２２２，２２２と、この基部２２１右側下部に孔２２６を有する。
【００４３】
扉側固定具２３は、断熱扉３の裏面におけるガスケットよりも外側に当接する基部２３１と、この基部２３１から折り曲げられる折曲部２３３と、この折曲部２３３からさらに折り曲げられ下部に孔２３６を有する突出片２３５とからなる。基部２３１には、扉側固定穴に対応する取付穴２３２，２３２が形成されている。
【００４４】
錠前２５は、鍵を差し込む鍵穴（図示せず）および回動自在に支持された錠腕２５３を差し込む挿入穴２５２を有する錠本体２５１と、錠腕２５３とからなる。
【００４５】
当該第二実施例にあって、施錠手段２１は、使用されていない右側上部の固定を活用して、それぞれ本体側と扉側に固定具２２，２３がビス２６により固定されることで、その土台部分が取り付けられる。このままの状態で、断熱扉３を閉塞すれば、図９に示すように、固定具２２の一部及び固定具２３の突出片２３５が一定の間隔を存して近接して対侍するが、ビス２６は露出したままの状態である。ただし、扉３を閉塞した状態で本体２との間に形成される空間Ｋは、ビス２６を取り外すための道具を入れ込んでビスを回動させるだけのスペースではないため、このビス２６を覆い隠すカバーを設けずとも、ビス２６を取り外すことは回避できる。
【００４６】
次に、錠前２５の錠腕２５３を両固定具２２，２３に設けた孔２２６，２３６に挿入し、錠腕を挿入穴２５２に差し込んで、錠を取り付ける。これで、施錠手段２１による施錠操作が完了する。
【００４７】
即ち、本第二実施例の施錠手段２１によれば、目隠し部材等で封をされていた不使用の扉側及び本体側の固定穴をそのまま活用して施錠手段を取り付けることができるので、固定穴の有効活用が図れる。内ヒンジ式のインキュベータ１にあって扉側と本体側の両固定具２３，２２を固定するためのすべてのビス２６をカバーで覆うことなく、ビス２６を外す操作が防止され、一方の固定具（例えば、扉側２３）を外して断熱扉３を開けることが不可能となり、インキュベータとしての防犯対策が図れる。また、扉側と本体側の両固定具１３，１２を共通化することで、固定具としての汎用性が増し、コストダウンが図れる。さらに、突出片２３５の形成にて、インキュベータ１からの突出部分を極力小さくすることができ、錠前２５の取り付け作業も容易となる。
【実施例３】
【００４８】
本発明の第三実施例を示す施錠手段３１は、図８に示すように、断熱箱本体２の前面右上部に位置する本体側固定穴（図示せず）に取り付けられ錠腕３５３を挿入する孔３２６を有する本体側固定具３２と、やはり断熱扉３の前面右上部に位置する扉側固定穴に取り付けられ錠腕３５３を挿入する孔３３６を有する扉側固定具３３と、本体側と扉側の両固定具３２，３３を固定するのビス３６と、本体側と扉側の両固定具３２，３３の孔３２６，３３６に挿入される錠腕３５３付きの錠前３５とを備える。
【００４９】
本体側固定具３２は、上下方向に対称形状に形成されており、断熱箱本体２の前面右上部に当接する基部３２１から折り曲げられる折曲部３２３と、この折曲部３２３からさらに折り曲げられ中央に孔３２６を有する突出片３２５とからなる。基部３２１には、扉側固定穴に対応する取付穴３２２，３２２が形成されている。
【００５０】
扉側固定具１３は、上下方向に対称形状に形成されており、断熱扉３の前面右上部に当接する基部３３１と、この基部３３１から折り曲げられる折曲部３３３と、この折曲部３３３からさらに折り曲げられ中央に孔３３６を有する突出片３３５とからなる。基部３３１には、扉側固定穴に対応する取付穴３３２，３３２が形成されている。尚、この第三実施例において、この扉側固定具３３と、本体側固定具３２とは、同じ形状にしてあるため、上下を入れ替えて使用することにより、本体側及び扉側のどちらの固定具としても活用することができ、部品を共通化することで、部品点数を削減しつつ、コストダウンを図っている。
【００５１】
当該第三の実施形態にあって、施錠手段３１は、使用されていない右側上部の固定を活用して、それぞれ本体側と扉側に固定具３２，３３がビス３６により固定されることで、その基部３２１，３３１が取り付けられる。このままの状態で、断熱扉３を閉塞すれば、両固定具３２、３３の各突出片３２５，３３５が一定の間隔を存して近接して対侍するが、ビス３６は第二実施例と同様に露出したままの状態である。ただし、扉３を閉塞した状態で本体２との間に形成される空間は、ビス３６を取り外すための道具を入れ込んでビスを回動させるだけのスペースではないため、このビス３６を覆い隠すカバーを設けずとも、ビス３６を取り外すことは回避できる。
【図面の簡単な説明】
【００５２】
【図１】本発明の施錠装置を設けたインキュベータの斜視図である。
【図２】本発明の施錠装置を設けないインキュベータの斜視図である。
【図３】本発明の外ヒンジを設けたインキュベータの斜視図である。
【図４】本発明の外ヒンジ式のインキュベータに対応する施錠手段の第一実施例を示す分解斜視図である。
【図５】本発明のカバーの背面斜視図である。
【図６】本発明の左開き式のインキュベータの扉を開放した状態の斜視図である。
【図７】内ヒンジ式のインキュベータに対応する施錠手段の第２実施例を示す分解斜視図である。
【図８】内ヒンジ式のインキュベータに対応する施錠手段の第３実施例を示す分解斜視図である。
【図９】本発明の第２実施例の施錠手段を適用したインキュベータの一部省略上面図である。
【図１０】図９のインキュベータの右側面図固形製剤充填装置の斜視図である。
【符号の説明】
【００５３】
１  インキュベータ
２  断熱箱本体
３  断熱扉
８  ヒンジ（外ヒンジ）
９  ガスケット
１１  施錠手段（第一実施例）
１２  本体側固定具
１３  扉側固定具
１４  カバー
１５  錠前
１６  ビス
１２４，１３４  係合部
１２５，１３５  突出片
１２６，１３６  孔
１４２  折曲片
１４３  引掛部
１４４  貫通穴
１５３  錠腕
【図１】
2005083153.tif 000003
【図２】
2005083153.tif 000004
【図３】
2005083153.tif 000005
【図４】
2005083153.tif 000006
【図５】
2005083153.tif 000007
【図６】
2005083153.tif 000008
【図７】
2005083153.tif 000009
【図８】
2005083153.tif 000010
【図９】
2005083153.tif 000011
【図１０】
2005083153.tif 000012